(57)【要約】【課題】増幅器に与えられる入力信号と電源電圧との相互のタイミングのずれを簡単に解消する増幅回路又はその調整方法を提供する。【解決手段】増幅器２２への入力信号に基づいて変調された電源電圧を当該増幅器２２に付与する機能と、増幅器２２の入出力特性に基づいて逆歪特性を推定し歪補償を行う機能と、増幅器２２に付与される入力信号及び電源電圧の相互のタイミングを調整する機能とを備えた増幅回路において、歪補償部３０による歪補償を行わない状態で、尖塔波形の調整用信号を増幅器２２に入力したときのタイミング未調整の出力からタイミング調整により増幅器２２の出力を増大させてピーク値を出現させ、当該ピーク値近傍の、ピーク値より低い出力における入出力特性の幅（ゲイン幅等）に相当する値が所定値以下（理想的には０）になるようタイミング調整を行う構成とする。【選択図】図３
2009232296.tif 000002
【特許請求の範囲】
【請求項１】
増幅器と、
前記増幅器への入力信号に基づいて変調された電源電圧を、前記増幅器に付与する電源変調部と、
前記増幅器の入出力特性を取得し、当該入出力特性から得られる歪特性を打ち消す逆歪特性を推定する推定部と、
前記逆歪特性を前記増幅器への入力信号に付加することにより歪補償を行う歪補償部と、
前記増幅器に付与される入力信号及び電源電圧の相対的なタイミングを調整するタイミング調整部とを備え、
前記推定部及びタイミング調整部は、前記歪補償部による歪補償を行わない状態において、尖塔波形を有する信号を前記増幅器に入力したときのタイミング未調整の出力からタイミングを調整することにより前記増幅器の出力を増大させてピーク値を出現させ、かつ、当該ピーク値近傍の、当該ピーク値より低い出力における入出力特性の幅に相当する値が所定値以下になるようタイミングを調整することを特徴とする増幅回路。
【請求項２】
前記タイミング調整部は、前記ピーク値を出現させるときはタイミングを粗調整し、前記所定値以下になるようにタイミングを調整するときはタイミングを微調整する請求項１記載の増幅回路。
【請求項３】
前記尖塔波形を有する信号を、タイミング調整用信号として発生する調整用信号発生部を備えた請求項１記載の増幅回路。
【請求項４】
前記調整用信号発生部は、周期的に、前記尖塔波形を有する信号を発生する請求項３記載の増幅回路。
【請求項５】
増幅器への入力信号に基づいて変調された電源電圧を、前記増幅器に付与する機能と、前記増幅器の入出力特性を取得し、当該入出力特性から得られる歪特性を打ち消す逆歪特性を推定して、これを前記増幅器への入力信号に付加することにより歪補償を行う機能と、前記増幅器に付与される入力信号及び電源電圧の相対的なタイミングを調整する機能とを備えた増幅回路の調整方法であって、
前記歪補償部による歪補償を行わない状態において、尖塔波形を有する信号を前記増幅器に入力したときのタイミング未調整の出力からタイミングを調整することにより前記増幅器の出力を増大させてピーク値を出現させ、
さらに、当該ピーク値近傍の、当該ピーク値より低い出力における入出力特性の幅に相当する値が所定値以下になるようタイミングを調整する
ことを特徴とする増幅回路の調整方法。
【発明の詳細な説明】
【技術分野】
【０００１】
本発明は、増幅回路及びその調整方法に関する。
【背景技術】
【０００２】
高出力増幅器（ＨＰＡ: High Power Amplifier）を用いて電力を増幅するとき、入出力特性の歪により、所望の出力が得られない場合がある。そこで、このような歪を補償するための歪補償方式として、増幅器の入力信号（ゲート信号）に対して、増幅器の歪特性とは逆の、逆歪特性をデジタル信号処理により生成して増幅器の入力に付加するＤＰＤ（Digital Pre-Distortion）処理を施すことにより、所望の増幅器出力を得る手法が提案されている（例えば、非特許文献１参照。）。
【０００３】
また、同時に増幅器の電力効率を高めたい場合、増幅器の入力信号を用いて増幅器の電源電圧（ドレイン信号）を変調し、入力信号の大小に合わせて増幅器の消費電力をダイナミックに変動させる方式（電源変調方式、又は、エンベロープトラッキング方式とよばれている。）が提案されている（例えば、非特許文献２，３参照。）。このような電源変調方式では、入力信号の電圧が小さいときには増幅器の消費電力が抑えられ、電力効率が向上する。このようにして、高効率増幅技術を提供することができる。
【０００４】
上記のようにＤＰＤ処理と共に増幅器の電源電圧を制御する場合、増幅器への入力信号と、変調された電源電圧とは、信号のタイミングが互いに完全に一致する（すなわち、一方の、他方に対する遅延がない。）ことが望ましい。そのためには例えば、増幅器の出力の歪成分が最小となるように電源電圧のタイミングを調整することで、入力信号と電源電圧とのタイミングを一致させることができる（例えば、特許文献１参照。）。
【０００５】
【非特許文献１】Donald F. Kimball, et. al., “High-Efficiency Envelope-Tracking W-CDMA Base-Station Amplifier Using GaN HFETs”, IEEE Transactions on Microwave Theory and Techniques, Vol. 54, No.11, November 2006.
【非特許文献２】Donald F. Kimball, et al., "High-Efficiency Envelope-Tracking W-CDMA Base-Station Amplifier Using GaN HFETs", IEEE Transactions on Microwave Theory and Techniques, Vol. 54, No. 11, November 2006.
【非特許文献３】Feipeng Wang, et. al., “Design of Wide-Band Envelope-Tracking Power Amplifiers for OFDM Applications”, IEEE Transactions on Microwave Theory and Techniques, Vol.53, No.4, April 2005.
【特許文献１】特許第３９８８６５６号公報
【発明の開示】
【発明が解決しようとする課題】
【０００６】
しかしながら、ＤＰＤ適用下での増幅器の歪は、ドレイン電圧のタイミングのずれ以外にもＤＰＤ補償量や増幅器のメモリ効果にも起因するため、歪を最小にすればタイミングが一致しているとは限らない。タイミングが僅かでもずれると、増幅器の出力を最大限に発揮させることができない。特に、増幅器の使用を開始する初期の段階においてはタイミングが全く不明であり、このような状況下でどのようにしてタイミングの調整をすべきか、という課題がある。
【０００７】
かかる従来の課題に鑑み、本発明は、増幅器に与えられる入力信号と電源電圧（ドレイン電圧）との相互のタイミングのずれを簡単に解消する増幅回路又はその調整方法を提供することを目的とする。
【課題を解決するための手段】
【０００８】
本発明の増幅回路は、増幅器と、前記増幅器への入力信号に基づいて変調された電源電圧を、前記増幅器に付与する電源変調部と、前記増幅器の入出力特性を取得し、当該入出力特性から得られる歪特性を打ち消す逆歪特性を推定する推定部と、前記逆歪特性を前記増幅器への入力信号に付加することにより歪補償を行う歪補償部と、前記増幅器に付与される入力信号及び電源電圧の相対的なタイミングを調整するタイミング調整部とを備え、
前記推定部及びタイミング調整部は、前記歪補償部による歪補償を行わない状態において、尖塔波形を有する信号を前記増幅器に入力したときのタイミング未調整の出力からタイミングを調整することにより前記増幅器の出力を増大させてピーク値を出現させ、かつ、当該ピーク値近傍の、当該ピーク値より低い出力における入出力特性の幅に相当する値が所定値以下になるようタイミングを調整することを特徴とするものである。
【０００９】
上記のような増幅回路では、例えば、増幅器への入力信号と、入力信号に基づいて変調された電源電圧との相互のタイミングのずれが不明な状態から、ピーク値を出現させ、かつ、ピーク値の範囲内で入出力特性（例えばゲイン特性や位相特性）の幅に相当する値が所定値以下となるよう調整することにより、タイミング調整を簡単に行うことができる。
【００１０】
また、上記増幅回路において、タイミング調整部は、ピーク値を出現させるときはタイミングを粗調整し、上記所定値以下になるようにタイミングを調整するときはタイミングを微調整することが好ましい。
この場合、調整前のタイミングのずれがどのような状態にあっても粗調整により迅速にピーク値を出現させ、また、最終的には微調整により正確にタイミングを合わせることができる。
【００１１】
また、上記増幅回路において、前記尖塔波形を有する信号を、タイミング調整用信号として発生する調整用信号発生部を設けてもよい。
この場合、調整用信号発生部から当該信号を発生させることにより、増幅回路は、自動的にタイミング調整を行うことができる。
【００１２】
また、上記増幅回路において、調整用信号発生部は、周期的に、尖塔波形を有する信号を発生することが好ましい。
この場合、周期的であることによって、タイミング調整が、より容易になる。なお、尖塔波形を有する信号としては、ＰＡＰＲ(Peak-to-Average Power Ratio)が高く、１周期内のピークが少ない（１が最も良い。）波形を発生させることが好ましい。
【００１３】
一方、方法としての本発明は、増幅器への入力信号に基づいて変調された電源電圧を、前記増幅器に付与する機能と、前記増幅器の入出力特性を取得し、当該入出力特性から得られる歪特性を打ち消す逆歪特性を推定して、これを前記増幅器への入力信号に付加することにより歪補償を行う機能と、前記増幅器に付与される入力信号及び電源電圧の相対的なタイミングを調整する機能とを備えた増幅回路の調整方法であって、（１）前記歪補償部による歪補償を行わない状態において、尖塔波形を有する信号を前記増幅器に入力したときのタイミング未調整の出力からタイミングを調整することにより前記増幅器の出力を増大させてピーク値を出現させ、（２）さらに、当該ピーク値近傍の、当該ピーク値より低い出力における入出力特性の幅に相当する値が所定値以下になるようタイミングを調整する、ことを特徴とするものである。
【００１４】
上記のような増幅回路の調整方法では、例えば、増幅器への入力信号と、入力信号に基づいて変調された電源電圧との相互のタイミングのずれが不明な状態から、ピーク値を出現させ、かつ、ピーク値近傍の、ピーク値より低い出力における入出力特性（例えばゲイン特性や位相特性）の幅に相当する値が所定値以下となるよう調整することにより、タイミング調整を簡単に行うことができる。
【発明の効果】
【００１５】
本発明の増幅回路又はその調整方法によれば、増幅器に与えられる入力信号と電源電圧（ドレイン電圧）との相互のタイミングのずれを簡単に解消することができる。また特に、タイミングのずれが不明な初期状態においても、タイミングのずれを簡単に解消することができる点で至便である。
【発明を実施するための最良の形態】
【００１６】
以下、本発明の実施形態を図面に基づいて説明する。
図１は、無線通信装置としての無線基地局１ａと、同じく無線通信装置としての端末装置１ｂ，１ｃ，１ｄとを有する無線通信システムの構成図である。
無線通信装置１ａ，１ｂ，１ｃ，１ｄはそれぞれ、無線信号を受信するための受信機１１、無線信号を送信するための送信機１２、及び、送受信信号の処理を行う処理部１３を備えている。
【００１７】
受信機１１は、線形変調信号を受信するものであり、線形変調信号を受信して増幅するために低雑音増幅回路１１ａを有している。
また、送信機１２は、線形変調信号を送信するものであり、線形変調信号を増幅する電力増幅回路１２ａを有している。
前記低雑音増幅回路１１ａ及び電力増幅回路１２ａの基本的構成は、ともに同様であるので、以下では、電力増幅回路１２ａを本発明の「増幅回路」の一例として説明する。
【００１８】
図２は、増幅回路１２ａのハードウェア構成を示す回路図である。この増幅回路１２ａは、デジタル信号処理部（ＤＳＰ）２１、ＲＦ電力増幅器（以下、単に増幅器という。）２２、エンベロープ（包絡線）増幅器２３等を備えている。
増幅器２２は、線形変調信号を増幅するためのものであるが、非線形特性を有する動作領域を有しており、後述の図３のＤＰＤ（歪補償部）３０が必要とされる。また、この増幅器２２においては、入力信号の変化や増幅器特性のばらつきによって電力効率や歪特性が変化することがある。
【００１９】
デジタル信号処理部２１は、増幅器２２への入力となる信号（ベースバンド信号）を出力するとともに、増幅器２２の出力（ベースバンド信号）を取得することができる。
なお、デジタル信号処理部２１から増幅器２２の信号入力端子までの間には、ＤＡコンバータ（ＤＡＣ）２４、ローパスフィルタ（ＬＰＦ）２５、アップコンバータ２６、バンドパスフィルタ２７、及び、ドライバ２８が設けられている。また、デジタル信号処理部２１から増幅器２２の電源電圧入力端子までの間には、ＤＡコンバータ（ＤＡＣ）２４、ローパスフィルタ２９ｄ、及び、エンベロープ増幅器２３が設けられている。
【００２０】
エンベロープ増幅器２３の入力信号（アナログ）の基になるデジタル信号は、デジタル信号処理部２１内において、増幅器２２への入力信号（デジタル）に基づく信号として与えられる。従って、デジタル信号処理部２１からＤＡコンバータ２４、ローパスフィルタ２９ｄ、エンベロープ増幅器２３を経て、増幅器２２に電源電圧を付与する回路部分は、増幅器２２への入力信号に基づいて変調された電源電圧を当該増幅器２２に付与する電源変調部２０を構成している。一方、増幅器２２の出力端からデジタル信号処理部２１までの間には、方向性結合器２９ｅ、ダウンコンバータ２９ａ、ローパスフィルタ２９ｂ、ＡＤコンバータ（ＡＤＣ）２９ｃが設けられている。
【００２１】
図３は、デジタル信号処理部２１の内部機能のうち、増幅器２２に関する機能を示すブロック図である。図において、デジタル信号処理部２１は、増幅器２２に与えられる信号の歪補償を行うＤＰＤ（Digital Pre-Distorter）３０（歪補償部）、ＤＰＤ３０の入出力信号が入力される制御器３１、一対のタイミング調整回路３３，３４からなるタイミング調整部３２、及び、推定部３５を備えている。また、ＤＰＤ３０に対する入力として、本来の入力信号ｘの他、調整用信号を入力するための調整用信号発生部３６が設けられている。調整用信号は、所定のＲＦ信号の基になるデジタル信号である。
【００２２】
上記タイミング調整回路３３は、ＤＰＤ３０から増幅器２２の信号入力端子に至る途中に設けられ、他方、タイミング調整回路３４は、制御器３１から増幅器２２の電源電圧入力端子（ドレイン）に至る途中に設けられている。タイミング調整回路３３，３４はそれぞれ、推定部３５からの指示を受けて入出力間の位相調整をすることにより出力のタイミングを調整することができる。また、調整用信号発生部３６は、推定部３５からの指示を受けて調整用信号を出力することができる。
【００２３】
ＤＰＤ３０は、信号（歪補償前ベースバンド信号）ｘに増幅器２２の歪特性に応じた歪補償処理を施して信号（歪補償後ベースバンド信号）ｕを得る。推定部３５は、ＤＰＤ３０の出力ｕと増幅器２２の出力ｙとに基づいて、増幅器２２の入出力特性を取得することができ、そこから歪特性を推定するとともに、この歪特性を打ち消す逆歪特性を推定する。すなわち、推定部３５は、増幅器２２の入出力特性から得られる歪特性（Ａ）を打ち消す逆歪特性（Ａ-1）を推定する。ＤＰＤ３０は、この逆歪特性（Ａ-1）を入力信号ｘに付加することによって、歪補償を行う。予め歪補償が施されたＤＰＤ３０の出力信号ｕを増幅器２２に与えることで、増幅器２２からは、歪みの無い（若しくは少ない）出力ｙが得られる。
【００２４】
一方、前述のように電源変調部２０は、ＤＰＤ３０への入力信号ｘ又はＤＰＤ３０からの出力信号ｕのエンベロープ（包絡線）に応じて、増幅器２２に与える電源電圧Ｖｄを変化させる。すなわち、信号ｘ又はｕ（のエンベロープ）が小さければ、電源電圧Ｖｄが小さくなり、信号ｘ又はｕ（のエンベロープ）が大きければ、電源電圧Ｖｄが大きくなることによって、信号ｘ又はｕに基づく増幅器２２への入力信号で変調された電源電圧Ｖｄが決定される。これにより、増幅器２２の電力効率を高めることができる。
【００２５】
以上のようにして、増幅器２２の電源変調特性と歪補償特性とをそれぞれ制御することができる。従って、増幅器２２の電源変調特性と歪補償特性の両方の適応制御を行って「効率最大、歪最小」となる最適な増幅器特性を得ることが可能である。
また、効率と歪のいずれか一方を犠牲にして、他方の性能を向上させるといった制御も可能である。
【００２６】
次に、増幅回路１２ａのタイミング調整について説明する。このタイミング調整は、基本的には増幅回路１２ａの使用を開始する初期に行われる。タイミング調整を行うときデジタル信号処理部２１は、ＤＰＤ３０の歪補償機能を停止させ、ＤＰＤ３０への入力信号がそのまま出力信号ｕとなるようにする。また、初期には、通常の入力信号ｘではなく、調整用信号としての所定のＲＦ信号に相当するデジタル信号が、調整用信号発生部３６から入力される。
【００２７】
図５の（ａ）、（ｂ）及び図６の（ｃ）は、３パターンの信号タイミングを示すグラフであり、各グラフの上段は、入力信号ｕとして用いられるＲＦ信号（ＤＡ変換されたものとして示す。以下同様。）を、下段は、上段に示すＲＦ信号に基づいて増幅器２への電源電圧Ｖｄとして与えられる信号を、それぞれ示している。調整用信号としてのＲＦ信号の特徴は、ＰＡＰＲ(Peak-to-Average Power Ratio)が高く、１周期Ｔ内のピークが少ない（１が最も良い。）ことである。すなわち、このようなＲＦ信号は、ほとんどの時間領域で信号レベルが低く、一定周期Ｔで、高いピーク値を有する尖塔波形である。
【００２８】
図５の（ａ）に示す状態であれば、２つの信号は尖塔波形及びピークのタイミングが大きくずれている。（ｂ）は、（ａ）の状態よりはずれが小さいが、完全にはタイミングが一致していない状態を示している。さらに、図６における（ｃ）の状態では、２つの信号のタイミングが完全に一致している。
【００２９】
図７は、図５の（ｂ）の状態を部分的に拡大して示すグラフである。この場合、信号レベルｕ１に対応する時刻をｔａ、ｔｂとすると、これらの時刻における電源電圧Ｖｄの値は図中のＡ、Ｂとなり、互いに異なる値である。従って、時刻ｔａとｔｂとでは、信号レベルは同一（ｕ１）であるが、ゲインは互いに異なる値となる。
【００３０】
増幅器２２に対する入力信号ｕは、１周期Ｔ内の時刻ｔにおける実部、虚部をそれぞれａt、ｂtとすると、ｕ＝ａt＋ｊｂtとして表すことができる。同様に、増幅器２２の出力ｙは、１周期Ｔ内の時刻ｔにおける実部、虚部をそれぞれＡt、Ｂtとすると、ｙ＝Ａt＋ｊＢtとして表すことができる。従って、時刻ｔにおけるゲインｇtは、
│（Ａt＋ｊＢt）／（ａt＋ｊｂt）│∠φt
となる。但し、φt＝ｔａｎ-1｛（Ａt＋ｊＢt）／（ａt＋ｊｂt）｝である。
【００３１】
図８は、横軸に増幅器２２の出力ｙをとり、縦軸に増幅器２２のゲインをとった入出力特性（ＡＭ−ＡＭ特性）のグラフである。（ａ）、（ｂ）、（ｃ）はそれぞれ、図５、図６における（ａ）、（ｂ）、（ｃ）のＲＦ信号に対して観測される入出力特性である。すなわち、図５の（ａ）に示すようにタイミングが大きくずれていると、１周期Ｔの間に、入出力特性は、図８の（ａ）に示すような形状を描き、出力ｙが小さい領域ではノイズが乗ってゲイン幅がばらつき、広くなる。また、出力ｙのピーク値及び、その近傍のピークパワー領域が出ない。
【００３２】
上記ピークパワー領域とは、図８の（ａ）の状態から、タイミングの調整（タイミング一致方向への調整）により伸び出てくる部分であって、図８の（ｂ）、（ｃ）に示すような、タイミングのずれが無いか若しくは少ない場合に、ピーク値ｙP近傍にできるゲイン幅の狭い出力領域をいう。ピークパワー領域は、前述のＰＡＰＲが高いほど横に拡がり（大きくなり）、また、１周期内のＲＦ信号のピークが少ないほど幅が細くなる。
【００３３】
一方、図５の（ｂ）の場合、（ａ）に比べるとずれは小さい。そのため、図８の（ｂ）に示すように、ピーク値は出現するが、ゲイン幅が絞りきれず、ループ状に若干膨らんだ形となる。この場合、例えば図７におけるＡ、Ｂが、図８の（ｂ）におけるＡ、Ｂに対応する。
図５の（ｃ）の場合、信号ｕと電源電圧Ｖｄのタイミングが互いに一致している。このときは、図８の（ｃ）に示すように、幅の細い線状のピークパワー領域が現れ、理想的な状態となる。
【００３４】
すなわち図８において、タイミングのずれがあるときは（ａ）の状態となり、ずれが小さくなると（ｂ）の状態となり、さらに、タイミングが一致すると（ｃ）の状態となる。また、（ｃ）の状態からタイミングがずれ始めると（ｂ）の状態になり、さらにずれると（ａ）の状態となる。従って、まずは（ａ）の状態から（ｂ）の状態になるようタイミング調整（粗調整）し、そこからさらに、（ｃ）の状態となるようタイミング調整（微調整）することが必要となる。
【００３５】
このようなタイミング調整について、図４のフローチャートを参照して説明する。このフローチャートの処理は、デジタル信号処理部２１（主として推定部３５及びタイミング調整部３２）によって行われる。図において、推定部３５は、まず、ＤＰＤ３０によるプリディストーションをオフにする（ステップＳ１）。また、推定部３５は、タイミング調整部３２によるタイミングの調整時間を０、すなわち、タイミング未調整の状態とする。
【００３６】
次に、推定部３５は、出力ｙの最大値をｙmaxとして記憶し（ステップＳ３）、タイミング調整部３２に１単位調整量のタイミング調整を行わせる（ステップＳ４）。このタイミング調整は、タイミング調整回路３３，３４のいずれか一方で行ってもよいし、双方で行ってもよい。ここでは、タイミング調整回路３３を調整しない状態に固定し、タイミング調整回路３４のみで調整を行った。
調整は、信号ｕに対して電圧Ｖｄが遅れる方向及び進む方向のいずれか一方向（任意）に行われる。そして、推定部３５は、現在の出力ｙが、記憶しているｙmaxより大きいか否か、すなわち、タイミング調整により出力ｙが増大したか否かを判定する（ステップＳ５）。
【００３７】
ここで、タイミング調整により出力ｙが増大した場合（調整方向が正しい場合）には、推定部３５は、ｙmaxを更新（ステップＳ６）した後、再びタイミング調整部３２にタイミング調整を行わせる（ステップＳ４）。こうして、ステップＳ４，Ｓ５，Ｓ６が繰り返される。また、ステップＳ５においてｙがｙmax以下であった場合（「ＮＯ」）、すなわちタイミング調整により出力ｙが増大しなかった場合（調整方向が逆の場合）には、推定部３５は、この「ＮＯ」が、前回の「ＹＥＳ」から「ＮＯ」に転じたものか否かを判定する（ステップＳ７）。調整方向が逆の場合には、この判定は「ＮＯ」となり、推定部３５は、タイミング調整部３２による調整方向を逆にする指示をした（ステップＳ８）後、再びタイミング調整部３２にタイミング調整を行わせる（ステップＳ４）。以後、ステップＳ４，Ｓ５，Ｓ６が繰り返される。
【００３８】
このようにして、タイミングの粗調整が行われ、ステップＳ７における判定が前回（直前）の「ＹＥＳ」から「ＮＯ」に転じた場合、すなわち、出力ｙがそれ以上増大しなくなった場合、入出力特性は図８の（ｂ）の状態にあると解される。そこで、推定部３５は、前回のｙmaxをピーク値ｙPとして、ピークパワー領域の範囲内でゲインの幅を検出する（ステップＳ９）。
【００３９】
具体的には、図８の（ｂ）に示す入出力特性の一部拡大図である図９を参照して、例えば出力ｙのピーク値ｙPより小さく、かつ、ピークパワー領域の範囲内の出力ｙH（＜ｙP）が出る２つの相異なる時刻を時刻ｔ１、ｔ２とし、これらの時刻にそれぞれ得られるゲイン│ｇt1│、│ｇt2│を求め、その差（│ｇt2│−│ｇt1│）をゲインの幅とする。なお、上記ｔ１、ｔ２は、出力ｙのピーク値ｙPが出る時刻ｔPに対して、ｔ１＝ｔP−Δｔ、ｔ２＝ｔP＋Δｔとすることができる。
【００４０】
次に、推定部３５はタイミング調整部３２によりタイミングを１単位調整量だけ調整させ（ステップＳ１０）、ゲインの幅を検出し直して、ゲインの幅が増大したか否かを判定する（ステップＳ１１）。ここでもし、増大しているときはタイミング調整の方向が逆であるので、調整方向を逆にして（ステップＳ１２）、タイミング調整を行う（ステップＳ１０）。また、ステップＳ１１においてゲインの幅が増大していない（減少若しくは不変）場合は、ゲインの幅が所定値以内であるか否かの判定を行う（ステップＳ１３）。ここで、所定値以内でない場合はステップＳ１０、Ｓ１１、Ｓ１３を繰り返す。その結果、ゲインの幅が所定値以内（理想的にはほぼ０）になれば、入出力特性は図８の（ｃ）に示す状態になっているので、処理終了となる。
【００４１】
以上のようにして、本実施形態の増幅回路によれば、増幅器２２への入力信号と、入力信号に基づいて変調された電源電圧との相互のタイミングのずれが不明な状態において、ＤＰＤ３０による歪補償を行わずに、尖塔波形の調整用信号を増幅器２２に入力したときのタイミング未調整の出力からタイミングを調整することにより増幅器２２の出力を増大させてピーク値を出現させ、かつ、ピーク値近傍（ピークパワー領域内）でピーク値より低い出力における入出力特性（ゲイン特性）の幅に相当する値が所定値以下となるよう調整することにより、入力信号と電源電圧とのタイミング調整を行うことができる。従って、増幅器２２に与えられる入力信号と電源電圧（ドレイン電圧）との相互のタイミングのずれを簡単に解消することができる。また特に、タイミングのずれが不明な、使用の初期状態において、タイミングのずれを簡単に解消することができる点で至便である。
【００４２】
また、ピーク値を出現させるときは１単位調整量が相対的に大きい粗調整によりタイミングを調整し、前述の所定値以下になるようにタイミングを調整するときは１単位調整量が相対的に小さい微調整によりタイミングを調整すれば、調整前のタイミングのずれがどのような状態にあっても粗調整により迅速にピーク値を出現させ、また、最終的には微調整により正確にタイミングを合わせることができる。
【００４３】
また、上記実施形態では、調整用信号を発生する調整用信号発生部３６を設けたので、使用開始の初期状態において、この調整用信号発生部３６から尖塔波形の調整用信号を出力することにより、増幅回路１２ａは、自動的にタイミング調整を行うことができる。また、調整用信号が調整用信号発生部３６から周期的に発生することによって、タイミング調整が、より容易になる。調整用信号としては、ＰＡＰＲが高く、１周期内のピークが少ない（１が最も良い。）波形が好ましい。
なお、デジタル信号処理部２１とは別に外部から調整用信号を供給することも可能である。
【００４４】
また、上記実施形態では入出力特性としてＡＭ−ＡＭによるゲイン特性を示しているが、ＡＭ−ＰＭの位相特性についても同様に、ピークパワー領域における入出力特性の幅を細くすることでタイミング調整を行うことができる。
【００４５】
なお、上記実施形態では、調整用信号を発生する調整用信号発生部３６を設けたが、調整用信号でなければタイミング調整ができない、という訳ではない。例えば、実際の通信信号は、ＰＡＰＲが低く、ピークが多く出現し、しかも周期的ではないので、タイミング調整に好適とは言い難いが、「尖塔波形を有する信号」であれば、これにより、タイミング調整が可能である。
【００４６】
なお、ピーク値が互いに異なる複数種類のピークを含む信号を使用してタイミング調整を行うとき、振幅最大のピークでタイミング調整が行われるようにしたいが、その意に反して、最大ではないピークでタイミング調整が行われる場合が予想される。このような場合、出力ｙmaxの値が予めわかっているのであれば、図４のステップＳ７からＳ９への途中に、「ｙmaxは所定値以上か？」という判定のステップを挿入し、ＹＥＳであればステップＳ９へ進み、ＮＯであれば例えばステップＳ１に戻って最初からやり直すように処理を構成すればよい。
【００４７】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【図面の簡単な説明】
【００４８】
【図１】無線通信装置としての無線基地局と、無線通信装置としての端末装置とを有する無線通信システムの構成図である。
【図２】増幅回路のハードウェア構成を示す回路図である。
【図３】デジタル信号処理部の内部機能のうち、増幅器に関する機能を示すブロック図である。
【図４】デジタル信号処理部によって行われる処理を示すフローチャートである。
【図５】増幅器に付与される入力信号及び電源電圧に関して、２パターンの信号タイミングを示すグラフである。
【図６】増幅器に付与される入力信号及び電源電圧に関して、タイミングが互いに一致している状態の信号タイミングを示すグラフである。
【図７】図５の（ｂ）の状態を部分的に拡大して示すグラフである。
【図８】横軸に増幅器の出力ｙをとり、縦軸に増幅器のゲインをとった入出力特性（ＡＭ−ＡＭ特性）のグラフである。
【図９】図８の（ｂ）に示す入出力特性の一部拡大図である。
【符号の説明】
【００４９】
１ａ：無線基地局、１ｂ，１ｃ，１ｄ：端末装置、１１：受信器、１１ａ：増幅回路、１２送信機、１２ａ：増幅回路、１３：処理部、２０：電源変調部、２１：デジタル信号処理部、２２：増幅器、２３：エンベロープ増幅器、２４：ＤＡコンバータ、２５：ローパスフィルタ、２６：アップコンバータ、２７：バンドパスフィルタ、２８：ドライバ、２９ａ：ダウンコンバータ、２９ｂ：ローパスフィルタ、２９ｃ：ＡＤコンバータ、２９ｄ：ローパスフィルタ、２９ｅ：方向性結合器、３０：ＤＰＤ（歪補償部）、３１：制御器、３２：タイミング調整部、３３，３４：タイミング調整回路、３５：推定部、３６：調整用信号発生部
【図１】
2009232296.tif 000003
【図２】
2009232296.tif 000004
【図３】
2009232296.tif 000005
【図４】
2009232296.tif 000006
【図５】
2009232296.tif 000007
【図６】
2009232296.tif 000008
【図７】
2009232296.tif 000009
【図８】
2009232296.tif 000010
【図９】
2009232296.tif 000011